(57)【特許請求の範囲】
【請求項１】
ＲＦタグと交信可能なリーダライタを備えた情報端末であって、本体部と、前記本体部と着脱可能なリーダライタのアンテナ部と、前記本体部に設けられたバーコードを読むバーコードリ−ダとを備え、前記アンテナ部には、バーコードリーダからバーコードに向かってバーコード光を出すためのバーコード窓が設けられていることを特徴とするＲＦタグ用携帯型情報端末装置。
【請求項２】
前記アンテナ部の少なくとも一部に、作業者が上からバーコードが見やすいように隙間部分を形成した請求項１記載のＲＦタグ用携帯型情報端末装置。
【請求項３】
前記隙間部分を透明部材から成る透明部としたことを特徴とする請求項２記載のＲＦタグ用携帯型情報端末装置。
【請求項４】
前記本体部に、この本体部の底面に対し所定の角度をなす傾斜面を形成し、前記底面と前記傾斜面のそれぞれに前記アンテナ部を前記本体部に装着する接続部を設けたことを特徴とする請求項１ないし請求項３記載のＲＦタグ用携帯型情報端末装置。
【請求項５】
前記ＲＦタグとしてＩＣメモリを用いる請求項１ないし請求項４記載のＲＦタグ用携帯型情報端末装置。
【請求項６】
前記ＲＦタグとして固有周波数共振部品を用いる請求項１ないし請求項４記載のＲＦタグ用携帯型情報端末装置。
【発明の詳細な説明】
【０００１】
【発明の属する技術分野】
本発明は、電磁波によってＲＦタグと交信するＲＦタグ用情報端末装置に関する。
【０００２】
【従来の技術】
図７ないし図９に従来のＲＦタグ用リーダライタを示す。図７において、（Ａ）は側面図、（Ｂ）は正面図。１０１はＲＦタグ用リーダライタのアンテナ部、１０２は本体部。図８はＲＦタグ用リーダライタがＲＦタグ１０３に近づき、非接触で読み書きできる範囲内にはいると、電磁波によって情報を読み書きすることができる。ＲＦタグにはＩＣが内蔵され、ＩＣ内部のメモリ内容を交信するタイプのＩＣメモリＲＦタグと、固有の周波数で共振し、タグの存在のみがわかる固有周波数共振型ＲＦタグがある。本体部には単純にＲＦタグの情報を読むだけの物と、図７のように、液晶表示やキースイッチがついていて情報の編集等ができるものがある。
【０００３】
図９にＲＦタグにＩＣを用いたタイプのＲＦタグ用情報端末装置のブロック構成を示す。通常本体部のＣＰＵから通信回路を経て、リーダライタ部に送信コマンドを送り、リーダライタ部の変復調回路で変調されアンテナ部から電磁波で出力される。タグのアンテナ部でその電磁波を受信し、電源として供給すると共に通信コマンドとして受信する。それがメモリ読み出しコマンドの場合、ＩＣメモリからデータを読み出し、変復調回路を経てリーダライタへ返信される。リーダライタのアンテナで返信波を受信し、変復調回路で復調され、通信回路を経て本体部へ送信される。
【０００４】
従来の携帯型ＲＦタグ用リーダライタ装置では、上記のように、ＲＦタグリーダライタのアンテナ部と本体部は固定接続されていた。アンテナ部が固定接続されている携帯型ＲＦタグリーダは特開平１１−５５１６５号公報に示されている。この先行技術ではアンテナの形状はタグの形に応じてタグが埋設されている皿に沿って湾曲形状としているが固定アンテナであった。
【０００５】
【発明が解決しようとする課題】
しかしながら、距離の離れたＲＦタグの情報を読むためには、アンテナの大きさが大きい方がよいが、逆に机上で接近してＲＦタグを読みとる場合等は小型のアンテナの方が操作性も良い。また、携帯するためには小さい方が持ち運びやすくよいので、用途によってはアンテナを交換したいことがあるが、本体部とアンテナ部が固定されていると、アンテナを交換することができなかった。
【０００６】
本発明は、上記従来の問題点を解決するもので、用途目的に応じてアンテナ部を着脱交換できるあるいはアンテナ部を変形でき使用しやすいＲＦタグ用情報端末装置を提供すること、またバーコードリーダとＲＦタグの両方の機能を持った情報端末を提供することを目的とする。
【０００７】
【課題を解決するための手段】
この目的を達成するために本発明の第１の手段は、ＲＦタグと交信可能なリーダライタを備えた情報端末であって、本体部と、前記本体部と着脱可能なリーダライタのアンテナ部と、前記本体部に設けられたバーコードを読むバーコードリ−ダとを備え、前記アンテナ部には、バーコードリーダからバーコードに向かってバーコード光を出すためのバーコード窓が設けられていることを特徴とする。
【０００８】
また、本発明の第２の手段は、第１の手段に加え、アンテナ部の少なくとも一部に、作業者が上からバーコードが見やすいように隙間部分を形成した。
【０００９】
また、本発明の第３の手段は、第２の手段に加え隙間部分を透明部材から成る透明部としたことを特徴とする。
【００１０】
また、本発明の第４の手段は、第１乃至第３の手段に加え、前記本体部に、この本体部の底面に対し所定の角度をなす傾斜面を形成し、前記底面と前記傾斜面のそれぞれに前記アンテナ部を前記本体部に装着する接続部を設けたことを特徴とする。
【００１５】
【発明の実施の形態】
上記構成により、本発明の第１の手段によれば、アンテナ部を本体部から着脱交換でき使用しやすく、また、バーコード窓を設けたのでアンテナを取り付けたままでもバーコードを読み取ることができる。
【００１６】
さらに、本発明の第２手段によれば、バーコードが見やすくなる。
【００１７】
さらに、本発明の第３手段によればバーコードを見やすく強度が強い。
【００１８】
さらに、本発明の第４手段によればアンテナの設置角度を変更できる。
【００２３】
以下、本発明の実施の形態について図１ないし図６を参照しながら説明する。図１は、本実施の形態によって実施される、携帯型ＲＦタグ用リーダライタがＲＦタグと交信している様子を示す図である。
【００２４】
図１に示すように、携帯型ＲＦタグ用リーダライタは本体部１とアンテナ部２とからなっているが、携帯しやすいようにアンテナ部２は本体部１より大きくならないようになっている。ＲＦタグ３の読み取り範囲４も図に示すようになり、その範囲にＲＦタグ３がはいれば、携帯型ＲＦタグ用リーダライタから発信された電磁波によって情報のやりとりができる。
【００２５】
次に、アンテナ部を大型にした場合を図２に基づいて説明する。図２は図１のアンテナ部に比較して大きなために、読み取り範囲が図２に示すように大きく広くなる。しかしアンテナ部がおおきくなるため重くなることもあり、携帯して持ち運ぶのに困難が生じる。しかし、ＲＦタグの使用用途や目的等によっては、広い読み取り範囲が必要になるときがある。
【００２６】
このように比較的読みとり距離が短くてもよいときは、携帯性を重視する場合は小さなアンテナがよく、長い読み取り距離が必要なときは、アンテナが大きい方がよい。このため、図３（Ａ）に示すように、本体部とアンテナ部の間に電気的な一般にコネクタと呼ばれる接続部を設けると共に、機械的にもカッチリと固定接続できるようにし、簡単にアンテナ部を本体部から着脱交換できるようにする。また、図３（Ｂ）に電気的・機械的接続部の例の断面図を示す。電気的接続部は一般的にコネクタで構成し、機械的接続部は図３（Ｂ）のようにつめのようなもので固定できるようにし、取り外し方向１あるいは取り外し方向２から細いピンのようなもので押して、つめがはずれるようにする。
【００２７】
図４（Ａ）（Ｂ）にアンテナにコイルとキャパシタを直列共振回路を用いたときの回路構成を示す。図４（Ａ）はアンテナ部にコイルとキャパシタ両方を設置し、上記のようにアンテナ部を着脱交換する時にコイルとキャパシタ両方を交換する場合と、コイルの特性が同じ物に交換するので有れば、図４（Ｂ）のようにコイルのみ交換できるようにする。具体的な外観図としては、図４（Ａ）の回路に対しては図４（Ｃ）を、図４（Ｂ）の回路に対しては図４（Ｄ）を示す。
【００２８】
また、ＲＦタグには、情報を保持する媒体に、ＩＣメモリを用いるものと、固有周波数共振部品を用いるものがある。ＩＣメモリを用いるものは、ＲＦタグ用リーダライタから電磁波を発信し、ＲＦタグに対して通信によって読み出しあるいは書き込みといったコマンドを出す。ＲＦタグに電池を内蔵しないタイプはこの電磁波から電源を創出する。また、固有周波数共振部品をもちいるものは、通常コイルとキャパシタからなり、ＲＦタグ用リーダライタから固有周波数の電磁波を出し、そのときＲＦタグが共振し、電磁波を送り返すので、それをＲＦタグ用リーダが検出して、そのＲＦタグが通信範囲内に存在するか、しないかがわかる。ＩＣメモリを用いるものは読み出しのみ可能なものと、読み書き可能なものがある。固有周波数共振部品を用いるものは読み出しのみ可能で、種別を分けたいときは、種別ごとに共振周波数を変える。
【００２９】
また、図５に変形可能あるいは設置角度を変更できるアンテナを示す図を示す。図５の（Ａ）に示すアンテナ部にループアンテナを用いるとき、アンテナ部の横幅が広いと操作性が悪いあるいは狭い場所では使用できない場合がある。このようなときに、図５（Ｂ）のようにループアンテナを変形させて長細くし、狭い場所での操作性を向上することができる。また、図５（Ｃ）のようにループアンテナの設置角度を本体部に対して左右上下角度を変更可能とし、狭い場所などでの操作性を向上することができる。アンテナの位置を変化させる例の断面図を図５（Ｃ）と図５（Ｄ）に示す。このようにアンテナ部を設置する接続部を本体部に２カ所設けておいて、アンテナ部をはずして図５（Ｄ）の位置から図５（Ｅ）の位置に変更できる。使用しない本体部の接続部はキャップで閉じておくとよい。
【００３０】
次に、図６にバーコードリーダを兼用したときの図を示す。図６（Ａ）のようにバーコードを読むときは、バーコード光をバーコード窓からバーコードに向かって出すが、このときバーコードのおおよその位置を作業者は見る必要がある。しかし図６（Ａ）のようにＲＦタグ用のアンテナ部に大きなものを付けていると、バーコードが作業者から陰になって大変見にくいことになる。図６（Ｂ）にアンテナ部を下から見た図を示す。図６（Ｂ）の間隙部のようにアンテナ部に隙間を設けて、作業者が上からバーコードを見やすいようにする。またこの隙間が大きいときは、機械強度が弱くなり、落下させたときなどにアンテナ部を破損する可能性が大きくなる。このようなときはここを隙間ではなくて、プラスチックのような透明な部材で、透明部を設けて、作業者が上から見やすいようにする。
【００３１】
【発明の効果】
以上のように本発明の第１の手段による装置によれば、アンテナ部を本体部から着脱交換でき使用しやすく、また、バーコード窓を設けたのでアンテナを取り付けたままでもバーコードを読み取ることができる。
【００３２】
さらに、本発明の第２手段による装置によれば、バーコードが見やすくなる。
【００３３】
さらに、本発明の第３手段による装置によれば、バーコードを見やすく強度が強い。
【００３４】
さらに、本発明の第４手段による装置によれば、アンテナの設置角度を変更でき使用しやすい。
【図面の簡単な説明】
【図１】本発明の実施の形態において、携帯型ＲＦタグ用リーダライタがＲＦタグと交信している様子を示す図
【図２】同実施の形態において、アンテナ部を大型にした携帯型ＲＦタグ用リーダライタを示す図
【図３】同実施の形態において、本体部とアンテナ部の間の電気的接続部と機械的接続部を示す図
【図４】同実施の形態において、アンテナにコイルとキャパシタを直列共振回路を用いたときの回路構成を示す図
【図５】同実施の形態において、変形可能なアンテナを示す図
【図６】同実施の形態において、バーコードリーダを兼用したときの図
【図７】従来のＲＦタグ用リーダライタの図
【図８】従来のＲＦタグ用リーダライタがＲＦタグと交信している様子を示す図
【図９】ＲＦタグにＩＣを用いたタイプのＲＦタグ用情報端末装置のブロック構成図
【符号の説明】
１  本体部
２  アンテナ部
３  ＲＦタグ
４  読み取り範囲
【図１】
0003637821.tif 000002
【図２】
0003637821.tif 000003
【図３】
0003637821.tif 000004
【図４】
0003637821.tif 000005
【図５】
0003637821.tif 000006
【図６】
0003637821.tif 000007
【図７】
0003637821.tif 000008
【図８】
0003637821.tif 000009
【図９】
0003637821.tif 000010